(57)【特許請求の範囲】
【請求項１】
コンクリート構造物用ひび割れ誘発目地材であって、
矩形横断面の凹部が設けられた、横断面がほぼコ字形の樹脂材料製の本体と、
前記本体の前記凹部に嵌め込まれる発泡ポリエチレン製の部分を有する目地形成体と、
前記本体を型枠に固定するための締結具とを備え、前記締結具が、両端が鋭利になった釘と、前記釘の脱落を防止するためのゴム製のストッパとを有し、前記釘の一端が、前記目地形成体の発泡ポリエチレン製の部分に突き刺されており、
前記本体の前記凹部に、型枠への固定時に締結具を打ち付ける際の目印となる溝が設けられている、
ことを特徴とするひび割れ誘発目地材。
【請求項２】
前記目地形成体の発泡ポリエチレン製の前記部分の一部が、ブチルゴム製の第２部分で被覆されていることを特徴とする請求項１に記載のひび割れ誘発目地材。
【発明の詳細な説明】
【技術分野】
【０００１】
本発明は、コンクリート構造物用ひび割れ誘発目地材に関する。本発明のひび割れ誘発目地材が使用されるコンクリート構造物としては、例えば、擁壁、覆道、橋脚などが挙げられるが、これらに限定されるものではない。
【背景技術】
【０００２】
コンクリート構造物に発生するひび割れ（クラック）を意図した箇所に誘導するため、コンクリート構造物にひび割れ誘発目地材が設置される。従来のひび割れ誘発目地を設置する方法として、型枠の所定箇所に目地棒を釘で固定してからコンクリートを打設してコンクリートを欠損させる方法が知られている。また、本発明者等は、専用の目地材をボルトで型枠に固定する方法を提案している（特許文献１、特許文献２）。
【０００３】
【特許文献１】特許第３４６５１０７号公報
【特許文献２】特許第３８９５１０７号公報
【発明の開示】
【発明が解決しようとする課題】
【０００４】
しかしながら、目地棒を釘で型枠に固定する方法は、脱型後に目地棒を除去し、欠損部分にシーリング材等を充填する作業が必要であり、非常に手間がかかるという課題があった。また、特許文献１及び２の方法は、幸いにして好評を博したが、ボルトを取り付けるための孔を予め型枠に精度良く設けなければならず、ボルトの取り付け時に型枠の両側に作業員が居る必要があるという改善点があった。
【０００５】
本発明は、このような状況に鑑みて開発されたものであって、設置作業が容易なコンクリート構造物用ひび割れ誘発目地材を提供することを目的としている。
【課題を解決するための手段】
【０００６】
本願請求項１に記載のコンクリート構造物用ひび割れ誘発目地材は、矩形横断面の凹部が設けられた、横断面がほぼコ字形の樹脂材料製の本体と、前記本体の前記凹部に嵌め込まれる発泡ポリエチレン製の部分を有する目地形成体と、前記本体を型枠に固定するための締結具とを備え、前記締結具が、両端が鋭利になった釘と、前記釘の脱落を防止するためのゴム製のストッパとを有し、前記釘の一端が、前記目地形成体の発泡ポリエチレン製の部分に突き刺されており、前記本体の前記凹部に、型枠への固定時に締結具を打ち付ける際の目印となる溝が設けられていることを特徴とするものである。
【０００８】
本願請求項２に記載のコンクリート構造物用ひび割れ誘発目地材は、前記請求項１の目地材において、前記目地形成体の発泡ポリエチレン製の前記部分の一部が、ブチルゴム製の第２部分で被覆されていることを特徴とするものである。
【発明の効果】
【０００９】
本発明のひび割れ誘発目地材によれば、締結具を打ち付けるのみで型枠に固定することができるので、設置作業を迅速かつ容易に実施することができる。また、締結具に頭部がないので、型枠取り外し後の締結具の抜き取りを容易に実施することができる。また、締結具を打ち付ける際の目印となる溝を設けることにより、本体を迅速かつ正確に型枠に固定することができる。また、締結具にゴムストッパを配置することにより、締結具の釘に一定の固定力を付与することができる。さらに、目地形成体の一部をブチルゴムで被覆することにより、コンクリートとの密着性を高めることができる。
【発明を実施するための最良の形態】
【００１０】
次に図面を参照して、本発明の好ましい実施の形態に係るコンクリート構造物用ひび割れ誘発目地材について詳細に説明する。図１は、コンクリート構造物用ひび割れ誘発目地材の斜視図、図２は、コンクリート構造物用ひび割れ誘発目地材の分解斜視図である。図１において全体として参照符号１０で示される本発明の好ましい実施の形態に係るコンクリート構造物用ひび割れ誘発目地材は、本体１２を備えている。
【００１１】
本体１２は、図３に最も良く示されるように、硬質樹脂材料で形成され、ほぼコ字形の横断面をもつ第１部分１４を有している。第１部分１４は、対向する一対の側壁１４ａ、１４ｂと、側壁１４ａ、１４ｂの一端同士を連結する連結壁１４ｃと、各側壁１４ａ、１２ｂの他端にそれぞれ設けられたフランジ１４ｄ、１４ｅとを有している。これにより、第１部分１４ａには、矩形横断面の凹部１６（図２参照）が形作られることとなる。なお、フランジ１４ｄ、１４ｅは、本体１２がコンクリート躯体から脱落するのを防止するためのものである。
【００１２】
本体１２は又、第１部分１４の連結壁１４ｃの外面に接するように配置された板状の第２部分１８を有している。第２部分１８は、軟質樹脂材料で形成されている。好ましくは、第２部分１８の連結壁１４ｃに接している側と反対側の面には、凹凸１８ａが設けられており、後述するように、ひび割れ誘発目地材１０の設置時に、凹凸１８ａに型枠が接することとなる。第２部分１８は、第１部分１４と一体となるように押出成形することによって形成してもよいし、第１部分１４に接着剤等で固定することによって形成してもよい。
【００１３】
コンクリート構造物用ひび割れ誘発目地材１０は又、目地形成体２０を備えている。目地形成体２０は、本体１２の凹部１６に嵌め込まれる第１部分２０ａと、第１部分２０ａの半部を被覆するように形作られた第２部分２０ｂとを有している。第１部分２０ａは、発泡ポリエチレンで形成されている。また、第２部分２０ｂは、コンクリートとの密着性がよいブチルゴムで形成されている。
【００１４】
好ましくは、本体１２の第１部分１４の側壁１４ａ、１４ｂの外面には、コンクリート躯体との付着を良好にするために、凹凸１４ａ１、１４ｂ１がそれぞれ設けられている。
【００１５】
また、好ましくは、本体１２の各側壁１４ａ、１４ｂの内面には、凹部１６に嵌め込まれた目地形成体２０の第１部分２０ａが脱落しないように、突起１４ａ１、１４ｂ１がそれぞれ設けられている（図３参照）。
【００１６】
なお、本体１２および目地形成体２０は、一定の長さ（例えば、１．８ｍ）を有しており、型枠に設置する際に所要の長さに切断して使用される。
【００１７】
コンクリート構造物用ひび割れ誘発目地材１０は更に、本体１２を型枠に固定するための締結具２２を備えている。締結具２２は、両端が鋭利になった釘２２ａと、釘２２ａの脱落を防止するためのゴム製のストッパ２２ｂとを有している。ストッパ２２ｂは、図３に示されるように、周壁にテーパの付いた円板形状を有している。
【００１８】
好ましくは、本体１２の第１部分１４の連結壁１４ｃの内面の中央に、長さ方向に延びた溝１４ｃ１が設けられている。溝１４ｃ１は、本体１２の型枠への固定時に締結具２２を打ち付ける際の目印となる。
【００１９】
以上のように構成されたコンクリート構造物用ひび割れ誘発目地材１０の使用について、図４および図５を参照して説明する。まず、型枠の内面の所定箇所に、本体１２を締結具２２で固定する（図４、図５（ａ）、（ｂ）参照）。その際、本体１２の連結壁１４ｃに溝１４ｃ１が設けられているため、本体１２を所定箇所に正確かつ迅速に固定することができる。次いで、本体１２の凹部１６に、目地形成体２０を嵌め込む（図５（ｃ）、（ｄ）参照）。その際、第１部分２０ａが発泡ポリエチレンで形成されているため、第１部分２０ａ内に締結具２２を容易に突き通すことができる。次いで、型枠内にコンクリートを打設し（図５（ｅ）参照）、コンクリートが硬化した後、型枠を取り外す。最後に、コンクリート躯体面から突出している締結具２２を引き抜く（図５（ｆ）参照）。
【００２０】
図６は、型枠の天端の処理方法を示した図である。型枠の天端においては、釘を打ち付けることができないので、以下のように処理する。すなわち、型枠の内面に天端まで本体１２を取り付け、本体１２に目地形成体２０を嵌め込む。その際、目地形成体２０の上端を型枠の天端のところで折り曲げる（図６（ａ）参照）。次いで、折り曲げた目地形成体２０に本体１２を嵌め込む（図６（ｂ）参照）。このようにして、本体１２を継手部材として使用することにより、釘打ちができない型枠天端においても目地形成体２０を設置することができる。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２２】
【図１】本発明の好ましい実施の形態に係るひび割れ誘発目地材の斜視図である。
【図２】図１のひび割れ誘発目地材の分解斜視図である。
【図３】図１のひび割れ誘発目地材の横断面図である。
【図４】型枠に図１のひび割れ誘発目地材が設置されている状態を示した斜視図である。
【図５】図１のひび割れ誘発目地材の使用する際の一連の手順を示した図である。
【図６】型枠の天端の処理方法を示した図である。
【図７】図１のひび割れ誘発目地材を用いて施行されたコンクリート構造物を示した斜視図である。
【符号の説明】
【００２３】
１０  ひび割れ誘発目地材
１２  本体
１４  第１部分
１６  凹部
１８  第２部分
２０  目地形成体
２０ａ  第１部分
２０ｂ  第２部分
２２  締結具
２２ａ  釘
２２ｂ  ストッパ
【図１】
0004854616.tif 000002
【図２】
0004854616.tif 000003
【図３】
0004854616.tif 000004
【図４】
0004854616.tif 000005
【図５】
0004854616.tif 000006
【図６】
0004854616.tif 000007
【図７】
0004854616.tif 000008